(57)【要約】【課題】施設内での現在位置に対応する付加情報を携帯端末へ通知できる情報発信システム、方法、管理サーバ及び携帯端末を提供すること。【解決手段】所定の施設内に設置される複数のアクセスポイント３０のうち、携帯端末１０が電波を受信したアクセスポイント３０の識別情報を取得し、識別情報を取得したアクセスポイント３０の設置位置に基づいて携帯端末１０の位置が特定されると、管理サーバ２０が当該特定した位置に対応する付加情報データを携帯端末１０へ送信する。【選択図】図１
2014163907.tif 000002
【特許請求の範囲】
【請求項１】
所定の施設内に設置される複数のアクセスポイントと、
前記複数のアクセスポイントそれぞれの設置位置データ及び地図データ、並びに所定の位置に対応付けられた付加情報データを記憶する管理サーバと、
前記複数のアクセスポイントに無線接続する第１の携帯端末と、を備え、
前記第１の携帯端末は、電波を受信したアクセスポイントの識別情報を前記管理サーバへ送信し、
前記管理サーバは、前記第１の携帯端末から前記識別情報を受信したことに応じて、当該アクセスポイントの位置に基づいて前記第１の携帯端末の位置を特定し、当該特定した位置を示すデータ及び前記地図データと共に、当該特定した位置に対応する前記付加情報データを前記第１の携帯端末へ送信する情報発信システム。
【請求項２】
所定の施設内に設置される複数のアクセスポイントと、
前記複数のアクセスポイントそれぞれの設置位置データ及び地図データ、並びに所定の位置に対応付けられた付加情報データを記憶する管理サーバと、
前記複数のアクセスポイントに無線接続する第１の携帯端末と、を備え、
前記第１の携帯端末は、前記管理サーバから前記設置位置データ及び前記地図データを受信し、電波を受信したアクセスポイントの位置に基づいて自端末の位置を特定し、当該特定した位置を示すデータを前記管理サーバへ送信することにより、当該特定した位置に対応する前記付加情報データを前記管理サーバから受信する情報発信システム。
【請求項３】
前記第１の携帯端末は、前記複数のアクセスポイントのいずれかに接続したことに応じて、前記設置位置データ及び前記地図データを受信する請求項２に記載の情報発信システム。
【請求項４】
前記第１の携帯端末の位置は、前記複数のアクセスポイントからの電波受信強度の組み合わせパターンに基づいて、前記地図データ中の１点に特定される請求項１から請求項３のいずれかに記載の情報発信システム。
【請求項５】
前記管理サーバは、前記第１の携帯端末の位置から、前記付加情報データにより示される前記施設内の特定の位置への道順を、前記第１の携帯端末へ送信する請求項１から請求項４のいずれかに記載の情報発信システム。
【請求項６】
前記第１の携帯端末は、自端末の位置から、前記付加情報データにより示される前記施設内の特定の位置への道順を導出する請求項１から請求項４のいずれかに記載の情報発信システム。
【請求項７】
前記管理サーバは、前記第１の携帯端末と予め対応付けられている第２の携帯端末の位置を示すデータを、前記第１の携帯端末へ送信する請求項１から請求項６のいずれかに記載の情報発信システム。
【請求項８】
前記管理サーバは、前記第１の携帯端末の位置から、前記第２の携帯端末の位置への道順を、前記第１の携帯端末へ送信する請求項７に記載の情報発信システム。
【請求項９】
前記第１の携帯端末は、自端末の位置から、前記第２の携帯端末の位置への道順を導出する請求項７に記載の情報発信システム。
【請求項１０】
携帯端末へ情報を発信する方法であって、
前記携帯端末が、所定の施設内に設置される複数のアクセスポイントのうち、電波を受信したアクセスポイントの識別情報を取得するステップと、
前記識別情報を取得したアクセスポイントの設置位置に基づいて前記携帯端末の位置が特定されると、管理サーバが当該特定した位置に対応する付加情報データを前記携帯端末へ送信するステップと、を含む情報発信方法。
【請求項１１】
携帯端末へ情報を発信する管理サーバであって、
所定の施設内に設置される複数のアクセスポイントそれぞれの設置位置データ及び地図データ、並びに所定の位置に対応付けられた付加情報データを記憶する記憶部と、
前記携帯端末が電波を受信したアクセスポイントの識別情報を受信したことに応じて、当該アクセスポイントの位置に基づいて前記携帯端末の位置を特定する測位部と、
前記測位部により特定された位置を示すデータ及び前記地図データと共に、当該位置に対応する前記付加情報データを前記携帯端末へ送信する情報送信部と、を備える管理サーバ。
【請求項１２】
管理サーバから情報を受信する携帯端末であって、
前記管理サーバから、所定の施設内に設置される複数のアクセスポイントそれぞれの設置位置データ及び地図データを受信し、電波を受信したアクセスポイントの位置に基づいて自端末の位置を特定する測位部と、
前記測位部により特定された位置を示すデータを前記管理サーバへ送信することにより、当該特定した位置に対応する付加情報データを前記管理サーバから受信する情報受信部と、を備える携帯端末。
【発明の詳細な説明】
【技術分野】
【０００１】
本発明は、携帯端末へ情報を発信する情報発信システムに関する。
【背景技術】
【０００２】
従来、携帯端末のユーザに対して現在位置の情報を提供するシステムが利用されている。例えば、屋外においては、ＧＰＳによる測位結果を携帯端末に表示できる。また、無線ＬＡＮのアクセスポイントからの距離を電波強度から推定して現在位置を求める方法も提案されている（例えば、特許文献１参照）。
【先行技術文献】
【特許文献】
【０００３】
【特許文献１】特開２０１２−００７９７１号公報
【発明の概要】
【発明が解決しようとする課題】
【０００４】
ところで、特にＧＰＳの電波が届かない屋内等、特定の施設内では、位置情報と共に、店舗又はイベント等の情報を提供する手段は、案内板又は冊子等からユーザが自発的に読み取る行動に頼っているのが現状である。このため、施設内の情報をユーザ毎に効率的に提供することは難しかった。
【０００５】
本発明は、施設内での現在位置に対応する付加情報を携帯端末へ通知できる情報発信システム、方法、管理サーバ及び携帯端末を提供することを目的とする。
【課題を解決するための手段】
【０００６】
本発明に係る情報発信システムは、所定の施設内に設置される複数のアクセスポイントと、前記複数のアクセスポイントそれぞれの設置位置データ及び地図データ、並びに所定の位置に対応付けられた付加情報データを記憶する管理サーバと、前記複数のアクセスポイントに無線接続する第１の携帯端末と、を備え、前記第１の携帯端末は、電波を受信したアクセスポイントの識別情報を前記管理サーバへ送信し、前記管理サーバは、前記第１の携帯端末から前記識別情報を受信したことに応じて、当該アクセスポイントの位置に基づいて前記第１の携帯端末の位置を特定し、当該特定した位置を示すデータ及び前記地図データと共に、当該特定した位置に対応する前記付加情報データを前記第１の携帯端末へ送信する。
【０００７】
本発明に係る情報発信システムは、所定の施設内に設置される複数のアクセスポイントと、前記複数のアクセスポイントそれぞれの設置位置データ及び地図データ、並びに所定の位置に対応付けられた付加情報データを記憶する管理サーバと、前記複数のアクセスポイントに無線接続する第１の携帯端末と、を備え、前記第１の携帯端末は、前記管理サーバから前記設置位置データ及び前記地図データを受信し、電波を受信したアクセスポイントの位置に基づいて自端末の位置を特定し、当該特定した位置を示すデータを前記管理サーバへ送信することにより、当該特定した位置に対応する前記付加情報データを前記管理サーバから受信する。
【０００８】
前記第１の携帯端末は、前記複数のアクセスポイントのいずれかに接続したことに応じて、前記設置位置データ及び前記地図データを受信してもよい。
【０００９】
前記第１の携帯端末の位置は、前記複数のアクセスポイントからの電波受信強度の組み合わせパターンに基づいて、前記地図データ中の１点に特定されてもよい。
【００１０】
前記管理サーバは、前記第１の携帯端末の位置から、前記付加情報データにより示される前記施設内の特定の位置への道順を、前記第１の携帯端末へ送信してもよい。
【００１１】
前記第１の携帯端末は、自端末の位置から、前記付加情報データにより示される前記施設内の特定の位置への道順を導出してもよい。
【００１２】
前記管理サーバは、前記第１の携帯端末と予め対応付けられている第２の携帯端末の位置を示すデータを、前記第１の携帯端末へ送信してもよい。
【００１３】
前記管理サーバは、前記第１の携帯端末の位置から、前記第２の携帯端末の位置への道順を、前記第１の携帯端末へ送信してもよい。
【００１４】
前記第１の携帯端末は、自端末の位置から、前記第２の携帯端末の位置への道順を導出してもよい。
【００１５】
本発明に係る情報発信方法は、携帯端末へ情報を発信する方法であって、前記携帯端末が、所定の施設内に設置される複数のアクセスポイントのうち、電波を受信したアクセスポイントの識別情報を取得するステップと、前記識別情報を取得したアクセスポイントの設置位置に基づいて前記携帯端末の位置が特定されると、管理サーバが当該特定した位置に対応する付加情報データを前記携帯端末へ送信するステップと、を含む。
【００１６】
本発明に係る管理サーバは、携帯端末へ情報を発信する管理サーバであって、所定の施設内に設置される複数のアクセスポイントそれぞれの設置位置データ及び地図データ、並びに所定の位置に対応付けられた付加情報データを記憶する記憶部と、前記携帯端末が電波を受信したアクセスポイントの識別情報を受信したことに応じて、当該アクセスポイントの位置に基づいて前記携帯端末の位置を特定する測位部と、前記測位部により特定された位置を示すデータ及び前記地図データと共に、当該位置に対応する前記付加情報データを前記携帯端末へ送信する情報送信部と、を備える。
【００１７】
本発明に係る携帯端末は、管理サーバから情報を受信する携帯端末であって、前記管理サーバから、所定の施設内に設置される複数のアクセスポイントそれぞれの設置位置データ及び地図データを受信し、電波を受信したアクセスポイントの位置に基づいて自端末の位置を特定する測位部と、前記測位部により特定された位置を示すデータを前記管理サーバへ送信することにより、当該特定した位置に対応する付加情報データを前記管理サーバから受信する情報受信部と、を備える。
【発明の効果】
【００１８】
本発明によれば、施設内での現在位置に対応する付加情報を携帯端末へ通知できる。
【図面の簡単な説明】
【００１９】
【図１】第１実施形態に係る情報発信システムの構成を示す図である。
【図２】第１実施形態に係る機能を示すブロック図である。
【図３】第１実施形態に係る情報発信処理の第１の例を示すシーケンス図である。
【図４】第１実施形態に係る情報発信処理の第２の例を示すシーケンス図である。
【図５】第２実施形態に係る機能を示すブロック図である。
【発明を実施するための形態】
【００２０】
＜第１実施形態＞
以下、本発明の第１実施形態について説明する。
本実施形態の情報発信システム１は、携帯端末１０の位置を特定すると共に、特定した位置に関連した付加情報をユーザに報知する。
【００２１】
図１は、本実施形態に係る情報発信システム１の構成を示す図である。
情報発信システム１は、所定の施設内で提供され、携帯端末１０と、管理サーバ２０と、無線ＬＡＮのアクセスポイント３０とを備える。
所定の施設とは、例えば、ショッピングセンタ、イベント会場又は駅構内等であり、ユーザの位置情報と共に詳細なエリア情報が有用であり、案内板又はパンフレット等により独自の地図情報が提供されていることが多い。
【００２２】
アクセスポイント３０は、施設内に複数設置されており、携帯端末１０は、無線接続可能なアクセスポイント３０の識別情報を管理サーバ２０へ通知することにより、管理サーバ２０は、予め記憶しているアクセスポイント３０の設置位置情報に基づいて、携帯端末１０の位置を特定する。
さらに、管理サーバ２０は、特定した位置に関連した付加情報を抽出して、携帯端末１０へ送信することにより、携帯端末１０に現在位置と共に関連情報を表示させる。
【００２３】
図２は、本実施形態に係る情報発信システム１を構成する要素の機能を示すブロック図である。
【００２４】
携帯端末１０は、制御部１１と、記憶部１２と、通信部１３と、入力部１４と、表示部１５とを備える。
管理サーバ２０は、制御部２１と、記憶部２２と、通信部２３とを備える。
【００２５】
携帯端末１０において、制御部１１は、携帯端末１０の全体を制御する部分であり、記憶部１２に記憶された各種プログラムを適宜読み出して実行することにより、本実施形態における各種機能を実現している。制御部１１は、ＣＰＵ（Ｃｅｎｔｒａｌ  Ｐｒｏｃｅｓｓｉｎｇ  Ｕｎｉｔ）であってよい。
また、制御部１１は、探索部１１１と、ＩＤ通知部１１２と、情報受信部１１３とを備える。
【００２６】
探索部１１１は、アクセスポイント３０の電波を探索し、無線接続可能な、あるいは電波を受信したアクセスポイント３０の識別情報を取得する。識別情報は、ＢＳＳＩＤ（Ｂａｓｉｃ  Ｓｅｒｖｉｃｅ  Ｓｅｔ  Ｉｄｅｎｔｉｆｉｅｒ）であってよい。
【００２７】
ＩＤ通知部１１２は、接続可能なアクセスポイント３０の識別情報と、各アクセスポイント３０からの受信電波強度とを管理サーバ２０へ送信する。このとき、ＩＤ通知部１１２は、接続可能なアクセスポイント３０のうち、無線接続を確立したいずれかのアクセスポイント３０を介して通信することとするが、これには限られず、他の通信システムを介して通信してもよい。
【００２８】
情報受信部１１３は、通知したアクセスポイント３０の識別情報に応じて管理サーバ２０から送信される情報を受信し、表示部１５へ出力する。
受信する情報には、携帯端末１０の位置、及びこの位置に対応した付加情報として、例えば、施設内の特定エリアの広告やクーポン等の店舗情報が含まれる。
【００２９】
記憶部１２は、ハードウェア群を携帯端末１０として機能させるための各種プログラム、及び各種データ等の記憶領域であり、ＲＯＭ、ＲＡＭ、フラッシュメモリ又はハードディスク（ＨＤＤ）等であってよい。具体的には、記憶部１２は、本実施形態の各機能を制御部１１に実行させるプログラムを記憶する。
【００３０】
通信部１３は、携帯端末１０が他の装置と通信する場合のネットワーク・アダプタである。具体的には、通信部１３は、制御部１１の制御に従って、無線ＬＡＮ（例えば、ＷｉＦｉ）のアクセスポイント３０と無線接続し、管理サーバ２０と通信する。
また、通信部１３は、さらに他の通信プロトコル（例えば、３Ｇ、４Ｇ、ＷｉＭＡＸ等）に対応し、これらの通信プロトコルにより管理サーバ２０と通信してもよい。
【００３１】
入力部１４は、携帯端末１０に対するユーザからの指示入力を受け付けるインタフェース装置である。入力部１４は、例えば、タッチパネル及び操作ボタン等により構成される。
【００３２】
表示部１５は、制御部１１による表示制御に従って、ユーザにデータの入力を受け付ける画面を表示したり、制御部１１による処理結果の画面を表示したりする。表示部１５は、液晶ディスプレイ（ＬＣＤ）又は有機ＥＬディスプレイ等のディスプレイ装置であってよい。
【００３３】
管理サーバ２０において、制御部２１は、管理サーバ２０の全体を制御する部分であり、記憶部２２に記憶された各種プログラムを適宜読み出して実行することにより、本実施形態における各種機能を実現している。制御部２１は、ＣＰＵであってよい。
また、制御部２１は、測位部２１１と、情報送信部２１２と、ルート演算部２１３とを備える。
【００３４】
測位部２１１は、携帯端末１０からアクセスポイント３０の識別情報を受信したことに応じて、このアクセスポイントの設置位置に基づいて携帯端末１０の位置を特定する。
具体的には、測位部２１１は、複数のアクセスポイント３０からの電波受信強度の組み合わせパターンに基づいて、地図データ中の１点を特定する。
【００３５】
情報送信部２１２は、特定した携帯端末１０の位置を示すデータ及び地図データと共に、この位置に対応する付加情報を記憶部２２から抽出して携帯端末１０へ送信する。
付加情報は、例えば、施設内の近隣店舗や特定店舗等の情報の他、携帯端末１０（第１の携帯端末）と予め対応付けられている第２の携帯端末に関して同様に特定した位置情報を含んでよい。
【００３６】
ルート演算部２１３は、携帯端末１０の位置から、送信される付加情報に含まれる特定の地点までの道順を導出して付加情報に含める。すなわち、情報送信部２１２は、携帯端末１０の現在位置に対する付加情報として、施設内の特定地点、又は家族等の端末（第２の携帯端末）等へのナビゲーション情報を送信できる。
【００３７】
記憶部２２は、ハードウェア群を管理サーバ２０として機能させるための各種プログラム、及び各種データ等の記憶領域であり、ＲＯＭ、ＲＡＭ、フラッシュメモリ又はハードディスク（ＨＤＤ）等であってよい。具体的には、記憶部２２は、本実施形態の各機能を制御部２１に実行させるプログラムを記憶する。
また、記憶部２２は、施設内の複数のアクセスポイントそれぞれの設置位置データ２２１及び地図データ２２２、所定の位置に対応付けられた付加情報データ２２３、並びに第１の携帯端末と第２の携帯端末とを紐付ける端末対応付けデータ２２４を記憶する。
【００３８】
通信部２３は、管理サーバ２０が他の装置と通信する場合のネットワーク・アダプタである。具体的には、通信部２３は、制御部２１の制御に従って、所定のネットワーク（例えば、インターネット）を通じてアクセスポイント３０と接続し、携帯端末１０と通信する。
また、通信部２３は、さらに他の通信プロトコル（例えば、３Ｇ、４Ｇ、ＷｉＭＡＸ等）に対応した基地局と接続し、これらの通信プロトコルにより携帯端末１０と通信してもよい。
【００３９】
図３は、本実施形態に係る情報発信処理の第１の例を示すシーケンス図である。
この例では、施設内の携帯端末１０へ、店舗情報が提供される。
【００４０】
ステップＳ１において、携帯端末１０は、アクセスポイント３０の電波を捕捉し、識別情報及び電波強度を取得すると共に、いずれかのアクセスポイント３０と無線接続を確立する。
【００４１】
ステップＳ２において、携帯端末１０は、取得した識別情報及び電波強度を、管理サーバ２０へ送信する。
【００４２】
ステップＳ３において、管理サーバ２０は、携帯端末１０から受信したアクセスポイント３０の識別情報及び電波強度を、記憶部２２の設置位置データ２２１及び電波強度のパターンデータ等と照合し、携帯端末１０の位置を算出する。
【００４３】
ステップＳ４において、管理サーバ２０は、ステップＳ３で測位された位置に対応する付加情報を記憶部２２から抽出する。
【００４４】
ステップＳ５において、管理サーバ２０は、ステップＳ３で測位された携帯端末１０の位置から、ステップＳ４で抽出された付加情報により示される地点までのルート検索を行う。
【００４５】
ステップＳ６において、管理サーバ２０は、ステップＳ３〜Ｓ５で得られた携帯端末１０の位置、付加情報及びルート情報を、携帯端末１０へ送信する。
【００４６】
ステップＳ７において、携帯端末１０は、ステップＳ６で受信した情報を表示部１５に表示してユーザに報知する。
【００４７】
図４は、本実施形態に係る情報発信処理の第２の例を示すシーケンス図である。
この例では、親端末１０Ａ（第１の携帯端末）へ、子端末１０Ｂ（第２の携帯端末）の位置情報及びルート情報が提供される。
【００４８】
ステップＳ１１において、親端末１０Ａは、ユーザから、子端末１０Ｂとの対応付けを行う旨の指示入力を受け付ける。
【００４９】
ステップＳ１２において、親端末１０Ａは、管理サーバ２０へ、子端末１０Ｂとの対応付けデータを送信する。対応付けデータは、端末の電話番号又はメールアドレス等の組み合わせであってよい。
【００５０】
ステップＳ１３において、管理サーバ２０は、ステップＳ１２で受信した対応付けデータを、記憶部２２に記憶する。
【００５１】
ステップＳ１４において、子端末１０Ｂは、一定周期等の所定のタイミングでアクセスポイント３０の電波を捕捉し、識別情報及び電波強度を取得する。
【００５２】
ステップＳ１５において、子端末１０Ｂは、ステップＳ１４で取得した識別情報及び電波強度を、管理サーバ２０へ送信する。
【００５３】
ステップＳ１６において、管理サーバ２０は、子端末１０Ｂから受信したアクセスポイント３０の識別情報及び電波強度を、記憶部２２の設置位置データ２２１及び電波強度のパターンデータ等と照合し、子端末１０Ｂの位置を算出する。
【００５４】
ステップＳ１７において、管理サーバ２０は、ステップＳ１６で測位した子端末１０Ｂの位置データを、子端末１０Ｂの識別子と共に記憶部２２に記憶する。
【００５５】
ステップＳ１８において、親端末１０Ａは、ユーザからの指示入力に応じて、アクセスポイント３０の電波を捕捉し、識別情報及び電波強度を取得する。
【００５６】
ステップＳ１９において、親端末１０Ａは、ステップＳ１８で取得した識別情報及び電波強度を、管理サーバ２０へ送信する。
【００５７】
ステップＳ２０において、管理サーバ２０は、親端末１０Ａから受信したアクセスポイント３０の識別情報及び電波強度を、記憶部２２の設置位置データ２２１及び電波強度のパターンデータ等と照合し、親端末１０Ａの位置を算出する。
【００５８】
ステップＳ２１において、管理サーバ２０は、親端末１０Ａに対応付けられている子端末１０Ｂの位置情報を記憶部２２から抽出する。
【００５９】
ステップＳ２２において、管理サーバ２０は、ステップＳ２０で測位された親端末１０Ａの位置から、ステップＳ２１で抽出された子端末１０Ｂの位置までのルート検索を行う。
【００６０】
ステップＳ２３において、管理サーバ２０は、ステップＳ２０〜Ｓ２２で得られた親端末１０Ａの位置、子端末１０Ｂの位置及びルート情報を、親端末１０Ａへ送信する。
【００６１】
ステップＳ２４において、親端末１０Ａは、ステップＳ２３で受信した情報を表示部１５に表示してユーザに報知する。
【００６２】
以上のように、本実施形態によれば、情報発信システム１は、無線ＬＡＮのアクセスポイント３０の設置位置に基づいて、携帯端末１０の現在位置を特定できると共に、特定した現在位置に対応する付加情報を携帯端末１０へ通知できる。したがって、情報発信システム１は、ユーザによる自発的な情報収集の行動に頼らず、ユーザの現在位置に応じて、適切な情報を効率的に提供できる。
【００６３】
特に、情報発信システム１は、ＧＰＳ測位が難しい屋内施設、又は多数の店舗等を有する込み入った施設において、詳細な位置情報を提供できる。
さらに、情報発信システム１は、アクセスポイント３０からの電波の受信強度の組み合わせに基づいて、詳細な位置情報を提供できる。
【００６４】
また、情報発信システム１は、提供する付加情報により示される店舗等の位置へ、携帯端末１０のユーザをルート案内できる。したがって、付加情報の訴求力及びユーザの利便性が向上する。
【００６５】
また、情報発信システム１は、付加情報として、他の端末（第２の携帯端末）の位置情報を提供できる。さらに、情報発信システム１は、他の端末へのルートを案内できる。したがって、情報発信システム１は、例えば迷子予防又は待ち合わせ等に利用可能であり、ユーザの利便性が向上する。
【００６６】
＜第２実施形態＞
以下、本発明の第２実施形態について説明する。
なお、第１実施形態と同様の構成に対しては、同一の符号を付し、説明を省略又は簡略化する。
【００６７】
図５は、本実施形態に係る情報発信システム１ａを構成する要素の機能を示すブロック図である。
情報発信システム１ａにおいて、携帯端末１０ａの制御部１１ａは、探索部１１１と、測位部１１４と、位置通知部１１５と、付加情報受信部１１６と、ルート演算部１１７とを備える。また、管理サーバ２０ａの制御部２１ａは、地図情報送信部２１４と、付加情報送信部２１５とを備える。
【００６８】
測位部１１４は、管理サーバ２０ａからアクセスポイント３０の設置位置データ２２１及び地図データ２２２を受信し、接続可能なアクセスポイントの位置に基づいて携帯端末１０ａの位置を特定する。
設置位置データ２２１及び地図データ２２２は、複数のアクセスポイント３０のいずれかに接続したことに応じて、受信される。例えば、施設の入り口の案内板等にアクセスポイント３０が設置されることにより、携帯端末１０ａによる接続が促される。
【００６９】
位置通知部１１５は、測位部１１４により特定された位置を示すデータを管理サーバ２０ａへ送信することにより、付加情報を要求する。
【００７０】
付加情報受信部１１６は、位置通知部１１５により通知された位置情報に対応して抽出される付加情報を、管理サーバ２０ａから受信する。
【００７１】
ルート演算部１１７は、携帯端末１０ａの位置から、付加情報により示される施設内の特定の位置への道順を導出する。また、ルート演算部１１７は、例えば、付加情報として、予め対応付けられている他の端末（第２の携帯端末）の位置情報を受信することにより、自端末の位置から、第２の携帯端末の位置への道順を導出できる。
【００７２】
地図情報送信部２１４は、携帯端末１０ａとの接続が確立すると、記憶部２２に記憶されているアクセスポイント３０の設置位置データ２２１及び地図データ２２２を、携帯端末１０ａへ送信する。なお、データ送信は、携帯端末１０ａからの要求に応じて行われてもよい。また、データ送信は、施設内のアクセスポイント３０に携帯端末１０ａが初めてアクセスした際に行われてもよい。
【００７３】
付加情報送信部２１５は、携帯端末１０ａから位置データを受信したことに応じて、この位置データに対応した付加情報データ２２３を記憶部２２から抽出し、携帯端末１０ａへ送信する。
【００７４】
以上のように、本実施形態によれば、管理サーバ２０ａから取得した施設内の情報に基づいて携帯端末１０ａが測位、及びルート案内を行うので、管理サーバ２０ａの処理負荷を低減できる。また、端末毎に測位精度又はルート検索手順等を適宜設定できる。
【００７５】
また、携帯端末１０ａは、アクセスポイント３０のいずれかに接続した際に施設内情報を受信するので、施設内に入る都度、最新の情報を取得できる。
【００７６】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００７７】
第２実施形態において、設置位置データ２２１及び地図データ２２２等の施設内情報は、管理サーバ２０ａから携帯端末１０ａへ送信されたが、これには限られない。例えば、所定のＷｅｂサイトからダウンロードされてもよい。また、管理サーバ２０ａを介さずにアクセスポイント３０から直接受信されてもよい。
【００７８】
前述の実施形態におけるルート案内は、既存のナビゲーションシステムと連携されることが好ましい。この場合、地図データ２２２は、所定のナビゲーションシステムのデータ構造に準拠し、１つのアプリケーションにより、施設外から施設内、又は施設内から施設外へのルート案内を連続して行うことにより、ユーザの利便性が向上する。
【００７９】
なお、携帯端末１０は、無線ＬＡＮに接続可能な情報処理装置の一例であり、携帯電話機、スマートフォン、タブレット端末又はＰＣ（Ｐｅｒｓｏｎａｌ  Ｃｏｍｐｕｔｅｒ）等、様々な情報処理装置（コンピュータ）であってよい。
【００８０】
前述の各機能は、ソフトウェアにより実現される。ソフトウェアによって実現される場合には、このソフトウェアを構成するプログラムが情報処理装置にインストールされる。また、これらのプログラムは、ＣＤ−ＲＯＭのようなリムーバブルメディアに記録されてユーザに配布されてもよいし、ネットワークを介してユーザのコンピュータにダウンロードされることにより配布されてもよい。
【符号の説明】
【００８１】
１、１ａ  情報発信システム
１０、１０ａ  携帯端末
１１、１１ａ  制御部
１２  記憶部
２０、２０ａ  管理サーバ
２１、２１ａ  制御部
２２  記憶部
３０  アクセスポイント
１１１  探索部
１１２  ＩＤ通知部
１１３  情報受信部
１１４  測位部
１１５  位置通知部
１１６  付加情報受信部
１１７  ルート演算部
２１１  測位部
２１２  情報送信部
２１３  ルート演算部
２１４  地図情報送信部
２１５  付加情報送信部
２２１  設置位置データ
２２２  地図データ
２２３  付加情報データ
２２４  端末対応付けデータ
【図１】
2014163907.tif 000003
【図２】
2014163907.tif 000004
【図３】
2014163907.tif 000005
【図４】
2014163907.tif 000006
【図５】
2014163907.tif 000007